(57)【要約】【課題】電圧引きはずし装置と不足電圧引きはずし装置の部品を共用する。【解決手段】気中遮断器１００の開閉機構部３００のトリップバー２にトリップバー切り溝２ａとトリップバー延長部２ｂを設け、電圧引きはずし装置３のＬ字形状プランジャ６の場合は、トリップバー切り溝２ａの両端部分を押し動かし、不足電圧引きはずし装置４のＴ字形状プランジャ８の場合は、トリップバー延長部２ｂを押し動かすことでプランジャ以外の部品を共用化できるように構成した。【選択図】        図１
2011018460.tif 000002
【特許請求の範囲】
【請求項１】
電圧が印加されるコイルと、
前記コイルの内部に設けられて前記コイルから一部突出し、前記コイルに印加される電圧に依存して前記コイルから押し出され又は前記コイルに引き込まれるプランジャと、
回転中心から延在する第一のレバー部及び前記第一のレバー部と前記回転中心をはさんで反対側に前記回転中心から延在する第二のレバー部を有し、前記回転中心のまわりを前記第一のレバー部が前記コイル側から遠ざかる方向又は前記第二のレバー部が前記コイルに近づく方向に回動することで開閉機構部を駆動するトリップバーとを備え、
前記プランジャは、前記コイルから押し出されても前記第一のレバー部に干渉せず、前記コイルに引き込まれる際に前記第二のレバー部を前記コイルの前記トリップバーをはさんだ反対側から押すことで前記第二のレバー部を前記コイルに近づける方向に前記トリップバーを回動させることを特徴する遮断器。
【請求項２】
前記第一のレバー部には切り溝が設けられ、この切り溝の間を前記プランジャが通ることにより、前記プランジャが前記コイルから押し出されても前記第一のレバー部に干渉しないことを特徴とする請求項１に記載の遮断器。
【請求項３】
電圧が印加されるコイルと、
前記コイルの内部に設けられて前記コイルから一部突出し、前記コイルに印加される電圧に依存して前記コイルから押し出され又は前記コイルに引き込まれるプランジャと、
回転中心から延在する第一のレバー部及び前記第一のレバー部と前記回転中心をはさんで反対側に前記回転中心から延在する第二のレバー部を有し、前記回転中心のまわりを前記第一のレバー部が前記コイル側から遠ざかる方向又は前記第二のレバー部が前記コイルに近づく方向に回動することで開閉機構部を駆動するトリップバーとを備え、
前記プランジャは、前記コイルに引き込まれても前記第二のレバー部に干渉せず、前記コイルから前記プランジャが押し出される際に前記第一のレバー部を前記コイル側から押すことで前記第一のレバー部を前記コイル側から遠ざける方向に前記トリップバーを回動させることを特徴する遮断器。
【発明の詳細な説明】
【技術分野】
【０００１】
この発明は遮断器の引きはずし装置の構造に関するものである。
【背景技術】
【０００２】
従来より、気中遮断器には付属装置として電圧引きはずし装置が備えられている。電圧引きはずし装置は開閉機構部のトリップバーに隣接して配置され、電圧引きはずし装置に備えられたコイルに所定以上の電圧が印加されるとコイルの内部からプランジャが押し出されるようになっており、この際にプランジャがトリップバーを押し動かすことで遮断器をＯＦＦさせることができるものである。
【０００３】
また、電圧引きはずし装置とは逆に、所定以上の電圧が印加されている状態ではプランジャが電磁コイルに引き込まれているが、印加されている電圧が所定以下の不足電圧（あるいは無電圧）の状態となるとプランジャがコイルの内部から押し出されてトリップバーを押し動かすことで遮断器をＯＦＦさせる不足電圧引きはずし装置も備えられている（例えば、特許文献１参照）。
【先行技術文献】
【特許文献】
【０００４】
【特許文献１】特開２０００-３６８５号公報（第３−４頁、第４図、第６図）
【発明の概要】
【発明が解決しようとする課題】
【０００５】
上記電圧引きはずし装置においては、コイルに電圧を印加するとプランジャを押し出し、不足電圧の状態ではプランジャを引き込む必要がある。それに対し、上記不足電圧引きはずし装置においては、電圧を印加するとプランジャが引き込まれていて、不足電圧の状態ではプランジャが押し出される必要がある。したがって電圧引きはずし装置と不足電圧引きはずし装置とではそれぞれ別のコイルを用いることになるため、部品の種類が増えて組み立て工程が複雑になるという問題があった。
【０００６】
本発明は、上記のような課題を解決するためになされたもので、電圧引きはずし装置と不足電圧引きはずし装置の相違点を最小限に抑えて、構成部品を共用化することを目的とするものである。
【課題を解決するための手段】
【０００７】
本発明の遮断器においては、トリップバーが回転軸のまわりに延在する第一のレバー部と、前記第一のレバー部と前記回転軸をはさんで反対側に延在する第二のレバー部とを備え、電圧引きはずし装置のプランジャをコイルから押し出されても前記第一のレバー部に干渉しないようにした。
【発明の効果】
【０００８】
この発明によれば、プランジャを変更するだけで電圧引きはずし装置と不足電圧引きはずし装置とを構成することができるため、その他の部品の共用化が可能になる。
【図面の簡単な説明】
【０００９】
【図１】この発明の実施の形態１における電圧引きはずし装置を取り付けた気中遮断器の側断面図である。
【図２】この発明の実施の形態１において電圧引きはずし装置により気中遮断器を動作させた状態を示す側断面図である。
【図３】この発明の実施の形態１における電圧引きはずし装置の側面図である。
【図４】この発明の実施の形態１における電圧引きはずし装置の断面図である。
【図５】この発明の実施の形態１における電圧引きはずし装置の上面図である。
【図６】この発明の実施の形態１における電圧引きはずし装置のＬ字形状プランジャとトリップバーの形状の概略を示した斜視図である。
【図７】この発明の実施の形態１における不足電圧引きはずし装置を取り付けた気中遮断器の正面図である。
【図８】この発明の実施の形態１において不足電圧引きはずし装置により気中遮断器を動作させた状態を示す側断面図である。
【図９】この発明の実施の形態１における不足電圧引きはずし装置の正面図である。
【図１０】この発明の実施の形態１における不足電圧引きはずし装置のＴ字形状プランジャとトリップバーの形状の概略を示した斜視図である。
【図１１】この発明の実施の形態２における電圧引きはずし装置の側面図である。
【図１２】この発明の実施の形態２における電圧引きはずし装置のプランジャ部とトリップバーの形状の概略を示した斜視図である。
【発明を実施するための形態】
【００１０】
実施の形態１．
図１はこの発明の実施の形態１における電圧引きはずし装置３を取り付けた気中遮断器１００の側断面図である。図１において、気中遮断器１００は、開閉接点部２００と開閉機構部３００を備えている。開閉接点部２００は、絶縁材料で形成されたベース筐体１に収納されており、接点部の開閉のため開閉機構部３００と連繋されている。
【００１１】
トリップバー２は開閉機構部３００の一構成要素である。当該トリップバー２を既定の向きに押し動かして回動させることで開閉機構部３００が駆動され開閉接点部２００が開路する。これにより気中遮断器１００がＯＦＦすることになる。電圧引きはずし装置３はこのトリップバー２の上方に配置されている。
【００１２】
電圧引きはずし装置３には先端の側断面がＬ字形状のＬ字形状プランジャ６が備えられており、電圧引きはずし装置３からその先端が図示下方に突き出している。
【００１３】
トリップバー２の回転中心２ａから図示左右両側には、レバー部２ｂ及びレバー部２ｃが延在している。レバー部２ｂには、後述するように、切り溝２ｄが設けられており、その切り溝２ｄの間をＬ字形状プランジャ６の一部が通っている。図２はこの発明の実施の形態１における電圧引きはずし装置３により気中遮断器１００をＯＦＦさせている状態を示す側断面図である。図２に示すように、トリップバー２のレバー部２ｃをＬ字形状プランジャ６が図示下側から押し動かして回転中心２ａのまわりに回動させると、開閉機構部３００が駆動されるようになっている。
【００１４】
なお、レバー部２ｃとレバー部２ｂとは一体に構成されており、レバー部２ｃを回転中心２ａのまわりにある方向に回動させるとレバー部２ｂも同じ方向に回動し、逆に、レバー部２ｂを回動させるとレバー部２ｃも同じ方向に回動するようになっている。
【００１５】
図３は電圧引きはずし装置３の側面図である。図３において、電圧引きはずし装置３は、電圧引きはずし装置３の外側を覆うフレーム１０と、上述のＬ字形状プランジャ６と、Ｌ字形状プランジャ６の鉛直方向以外への動きを制限するプランジャまわり止め７等とを備える。Ｌ字形状プランジャ６はプランジャ部６ａとプランジャ部６ａから鉛直下方（図示下方）へ伸びているプランジャ軸部６ｂ、さらにその先に設けられた、側断面がＬ字形状のＬ字形状プランジャ先端部６ｃから成る。
【００１６】
図４は電圧引きはずし装置３の側断面図である。この図では一部の部品を省略している。図４に示すように、電圧引きはずし装置３の内部において、引きはずしコイル５が円筒形状のボビン９に巻回され、その周囲に引きはずしコイル５の外側を覆うフレーム１０が配設されている。引きはずしコイル５の内側には、固定鉄心１１が固定されている。さらに固定鉄心１１の内側同軸上にはＬ字形状プランジャ６が配設されている。当該Ｌ字形状プランジャ６は鉛直方向上下に一定範囲で直動可能になっている。
【００１７】
固定鉄心１１の内側の、フレーム１０とプランジャ部６ａの突部の間には、ばね１２がプランジャ部６ａを鉛直下方へ押し出すように付勢されている。そのため、Ｌ字形状プランジャ６は電圧が印加されていない状態では押し出されている。
【００１８】
図５はこの発明の実施の形態１における電圧引きはずし装置３の上面図である。電圧引きはずし装置３を上面から見た場合、フレーム１０は略正方形を形成している。また、プランジャ部６ａはその中央に位置している。
【００１９】
図６はこの発明の実施の形態１における電圧引きはずし装置３のＬ字形状プランジャ６とトリップバー２の形状の概略を示した斜視図である。Ｌ字形状プランジャ先端部６ｃは断面が円になっているが、レバー部２ｂに設けられた切り溝２ｄの溝幅は、Ｌ字形状プランジャ先端部６ｃの断面の円の直径より幅広となっている。これによって、Ｌ字形状プランジャ６が鉛直上下方向に一定範囲内で直動してもトリップバー２に干渉しない。
【００２０】
次に動作について説明する。図１に示すように、引きはずしコイル５に所定値以上の電圧が印加されていない状態では、Ｌ字形状プランジャ６は引きはずしコイル５の内部に備えられたばね１２により付勢されて、引きはずしコイル５から押し出されている。
【００２１】
一方、電圧引きはずし装置３に所定値以上の電圧が印加されると、図２に示すようにＬ字形状プランジャ６は引きはずしコイル５の内部に向かって引き込まれ、レバー部２ｃがＬ字形状プランジャ先端部６ｃに押し動かされて引きはずしコイル５へ近づく方向へ回動し（これに伴いレバー部２ｂが引きはずしコイル５側から遠ざかる方向に回動し）、開閉機構部３００が駆動され開閉接点部２００が開路して、気中遮断器１００はＯＦＦする。
【００２２】
以上が、この発明の実施の形態１における電圧引きはずし装置３を取り付けた気中遮断器１００の説明である。
【００２３】
次に、この発明の実施の形態１における不足電圧引きはずし装置４を取り付けた気中遮断器４００について説明する。不足電圧引きはずし装置４を取り付けた気中遮断器４００の基本的な構成は、電圧引きはずし装置３を取り付けた気中遮断器１００と同様である。両者の相違点は、プランジャの形状の違いのみである。
【００２４】
図７はこの発明の実施の形態１における不足電圧引きはずし装置４を取り付けた気中遮断器４００の正面図である。図７に示すように、不足電圧引きはずし装置４のプランジャであるＴ字形状プランジャ８は、正面から見た場合、その先端が逆Ｔ字の形状を有している。
【００２５】
図８はこの発明の実施の形態１における不足電圧引きはずし装置４により気中遮断器４００を動作させた状態を示す側面図である。図８に示すように、トリップバー２のレバー部２ｂをＴ字形状プランジャ６が図示上側から押し動かして回転中心２ａのまわりに回動させると、開閉機構部３００が駆動される。
【００２６】
図９は不足電圧引きはずし装置４の正面図である。図９において、不足電圧引きはずし装置４は、不足電圧引きはずし装置４の外観を形成するフレーム１０と、上述のＴ字形状プランジャ８と、Ｔ字形状プランジャ８の鉛直方向以外方向への動きを制限するプランジャまわり止め７等を備える。Ｔ字形状プランジャ８はプランジャ部６ａとプランジャ部６ａから鉛直下方へ伸びているプランジャ軸部６ｂ、さらにその先に設けられた、正面から見てＴ字を逆さにした形状を有したＴ字形状プランジャ先端部８ｃから成る。プランジャ部６ａは電圧引きはずし装置３に設けられたものと同じもので、Ｔ字形状プランジャ先端部８ｃは電圧引きはずし装置３に設けられたＬ字形状プランジャ先端部６ｃとは異なるものとなっている。
【００２７】
Ｔ字形状プランジャ８もＬ字形状プランジャ６と同様に引きはずしコイル５内部のばね１２により付勢されて、電圧が印加されていない状態では、引きはずしコイル５から押し出されており、引きはずしコイル５に所定値以上の電圧が印加されることで引きはずしコイル５の内部に向かって引き込まれる。
【００２８】
図１０はこの発明の実施の形態１における不足電圧引きはずし装置のプランジャ部とトリップバーの形状の概略を示した斜視図である。図１０からも分かるように、Ｔ字形状プランジャ８は、全体として、電圧引きはずし装置３のＬ字形状プランジャより短く、引きはずしコイル５に引き込まれた状態ではレバー部２ｂに届かない長さとなっている。また、Ｔ字形状プランジャ先端部８ｃは、レバー部２ｂに設けられた切り溝２ａより幅広の形状となっている。
【００２９】
次に、動作について説明する。図７に示すように不足電圧引きはずし装置４が取り付けられている場合、所定値以上の電圧を印加していない状態ではＴ字形状プランジャ８は引きはずしコイル５から押し出され、Ｔ字形状プランジャ先端部８ｃが切り溝２ａより幅広の形状であるため、レバー部２ｂに設けられた切り溝２ｄを跨いだ両側部分を押し動かしている。これによりトリップバー２はレバー部２ｂが引きはずしコイル５側から遠ざかる方向に回動されて、開閉機構部３００が駆動される。
【００３０】
一方、不足電圧引きはずし装置４に所定値以上の電圧が印加されると図８に示すようにＴ字形状プランジャ８は引きはずしコイル５の内部に向かって引き込まれ、トリップバー２が通常位置に復帰するため、気中遮断器４００の投入が可能となる。
【００３１】
以上のように、本実施の形態によれば、プランジャとしてＬ字形状プランジャ６を用いれば電圧引きはずし装置３を構成でき、プランジャとしてＴ字形状プランジャ８を用いれば不足電圧引きはずし装置４を構成でき、その他の部品を共用化することができる。
【００３２】
実施の形態２．
図１１は本発明の実施の形態２における電圧引きはずし装置３２を示した側面図である。基本的な構成は実施の形態１における電圧引きはずし装置３と同様であるが、プランジャ６２の形状が相違する。
【００３３】
実施の形態１ではトリップバー２に切り溝２ｄを設けることで、プランジャ６をトリップバー２の下側に回りこませていた。
【００３４】
それに対し本実施の形態２における電圧引きはずし装置３２のプランジャ６２は、プランジャ先端部６２ｃがトリップバー２０を迂回してトリップバー２０の下側に回りこむ形状をしている。プランジャ先端部６２ｃをこのような形状にすることで、実施の形態１とは異なり、トリップバー２０に切り溝を設ける必要がなくなる。
【００３５】
以上、本実施の形態によれば、トリップバー２０に切り溝を設けることなく、プランジャとしてプランジャ６２を用いれば電圧引きはずし装置３２を構成でき、プランジャとしてＴ字形状プランジャ８を用いれば不足電圧引きはずし装置４を構成でき、その他の部品を共用化することができる。
【００３６】
なお、本実施の形態においては、電圧引きはずし装置３２のプランジャを変更して不足電圧引きはずし装置を構成する場合に、プランジャ先端の形状は必ずしもＴ字にする必要がなく、棒状のプランジャを用いれば十分である。
【００３７】
また、実施の形態１及び２においては、コイルに所定値以上の電圧が印加されるとプランジャがコイルに引き込まれる構成であったが、代わりに、コイルに所定値以上の電圧が印加されるとプランジャがコイルから押し出されるような構成にしてもよい。例えば、コイルに所定値以上の電圧が印加されていないときには、ばねの付勢力で押し出されようとするプランジャを永久磁石の引力によって抑えているが、コイルに所定値以上の電圧が印加されると、コイルの作る磁束によって永久磁石の磁束が打ち消され、ばねの付勢力が永久磁石の引力に打ち勝ってプランジャがコイルから押し出されるような構成にしてもよい。
【符号の説明】
【００３８】
１  ベース筐体、  ２  トリップバー、  ２ａ  回転中心、  ２ｂ  レバー部、  ２ｃ  レバー部、  ２ｄ  切り溝、  ３  電圧引きはずし装置、  ４  不足電圧引きはずし装置、  ５  引きはずしコイル、  ６  Ｌ字形状プランジャ、  ６ａ  プランジャ部、  ６ｂ  プランジャ軸部、  ６ｃ  Ｌ字形状プランジャ先端部、  ７  プランジャまわり止め、  ８  Ｔ字形状プランジャ、  ８ｃ  Ｔ字形状プランジャ先端部、  ９  ボビン、  １０  フレーム、  １１  固定鉄心、  １２  ばね、  ２０  トリップバー、  ６２  プランジャ、  ６２ｃ  プランジャ先端部、  ３２  電圧引きはずし装置、  １００  気中遮断器、  ２００  開閉接点部、  ３００  開閉機構部  ４００  気中遮断器。
【図１】
2011018460.tif 000003
【図２】
2011018460.tif 000004
【図３】
2011018460.tif 000005
【図４】
2011018460.tif 000006
【図５】
2011018460.tif 000007
【図６】
2011018460.tif 000008
【図７】
2011018460.tif 000009
【図８】
2011018460.tif 000010
【図９】
2011018460.tif 000011
【図１０】
2011018460.tif 000012
【図１１】
2011018460.tif 000013
【図１２】
2011018460.tif 000014